(57)【特許請求の範囲】
【請求項１】
原稿を読み取って画像データを生成する画像読み取り装置であって、
原稿台と、
前記原稿台にセットされた前記原稿の短辺の長さを測る長さ測定部と、
前記長さ測定部で測定した前記原稿の短辺の長さと規定サイズの用紙の長さとに基づいて、前記原稿の長辺の長さを求め、前記原稿の長辺の長さの半分の長さを表す原稿読み取り幅を決定し、前記原稿の短辺の長さと前記原稿読み取り幅とを表す読み取り範囲を設定する制御部と、
前記原稿の領域のうちの、前記制御部により設定された前記読み取り範囲を第１の領域として読み取り、前記原稿の残りの領域であり、かつ、前記原稿を１８０度回転したときの領域を第２の領域として読み取って、画像データを生成する画像読み取り部と、
前記読み取り部により生成された前記画像データを読み取り順に記憶する記憶部と、
前記記憶部に記憶した前記画像データを、記憶した順に配置し連続した一つの画像データに合成する画像処理部と、
を備えることを特徴とする画像読み取り装置。
【請求項２】
請求項１に記載の画像読み取り装置を備え、
画像読み取り装置が処理した画像を記録媒体に形成することを特徴とする画像形成装置。
【発明の詳細な説明】
【技術分野】
【０００１】
本発明は、本や雑誌などを画像として読み取る画像読み取り装置及びそれを備えた画像形成装置に関する。
【背景技術】
【０００２】
一般に画像読み取り装置（スキャナ）においては、載置面に原稿を載置して片面ずつ読み取る。原稿には、両面や本など様々のものがあるが、いずれも片面ずつ読み取らなければならない場合がある。このため、読み取った画像が、上下逆さまになったりして、原稿の配置とは異なる読み取り画像になる場合がある。
【０００３】
そこで、特許文献１では、自動両面原稿搬送装置を用いて両面原稿を読み取る場合、読み取った原稿画像の奇数ページ、偶数ページの天地方向を同一とする装置が開示されている。
【先行技術文献】
【特許文献】
【０００４】
【特許文献１】特開平０７−１８４００７号公報
【発明の概要】
【発明が解決しようとする課題】
【０００５】
しかし、本や雑誌の場合は、それらを開いて読み取るので、本や雑誌より原稿読み取り面が狭い場合は、片面ずつ読み取り面を分断して、読み取らなければならない。片面ずつ読みとった場合、当然片面の画像データとなる。本や雑誌を開いたとき、左右のページに１つの写真が掲載されて繋がっているような場合には、片面読み取りだと写真が分断されてしまう。
【０００６】
特に原稿押さえの蓋が邪魔になり、原稿をそのままスライドして同じ方法にて読み取ることは難しく、原稿を回転させて、常に見開きの読み取り側ではないページを手前にして読み取る必要があり、本や雑誌を読み込む場合は、左右ページの読み込み方向が異なってしまう。
【０００７】
特許文献１の装置では、両面原稿であるため、読み取った原稿画像の奇数ページ、偶数ページの天地方向を同一にするが、上述のように左右見開きで１つの写真の場合は分断された画像となってしまう。また、例えば、綴じ込みの縦長ポスターなどの場合では、読み込み方向が異なり、単に天地を同一にするだけでは、原稿の分断が際立ってしまう場合もある。
【０００８】
本発明は、斯かる実情に鑑み、本や雑誌などの読み取り画像を片面ずつの分断画像とせずに一つの画像として再現できる画像読み取り装置及びそれを備えた画像形成装置を提供することを目的とする。
【課題を解決するための手段】
【０００９】
本発明は、原稿を読み取って画像データを生成する画像読み取り装置であって、原稿台と、前記原稿台にセットされた前記原稿の短辺の長さを測る長さ測定部と、前記長さ測定部で測定した前記原稿の短辺の長さと規定サイズの用紙の長さとに基づいて、前記原稿の長辺の長さを求め、前記原稿の長辺の長さの半分の長さを表す原稿読み取り幅を決定し、前記原稿の短辺の長さと前記原稿読み取り幅とを表す読み取り範囲を設定する制御部と、前記原稿の領域のうちの、前記制御部により設定された前記読み取り範囲を第１の領域として読み取り、前記原稿の残りの領域であり、かつ、前記原稿を１８０度回転したときの領域を第２の領域として読み取って、画像データを生成する画像読み取り部と、前記読み取り部により生成された前記画像データを読み取り順に記憶する記憶部と、前記記憶部に記憶した前記画像データを、記憶した順に配置し連続した一つの画像データに合成する画像処理部と、を備えることを特徴とする。
【００１２】
また、本発明は、前記画像読み取り装置を備え、画像読み取り装置が処理した画像を記録媒体に形成することを特徴とする画像形成装置である。
【発明の効果】
【００１３】
本発明によれば、別々に読み取った画像データを一つの連続した画像データに合成するので、原稿である本や雑誌とほぼ同じ画像を再現できるという効果を奏する。
【図面の簡単な説明】
【００１４】
【図１】本発明に係る画像読み取り装置を備えた画像形成装置を示すブロック図である。
【図２】画像形成装置の処理を示すフローチャートである。
【図３】図２に続く画像形成装置の処理を示すフローチャートである。
【図４】左右ページを見開きで読み取る場合の画像合成を示す説明図である。
【図５】縦長ポスターを読み取る場合の画像合成を示す説明図である。
【発明を実施するための形態】
【００１５】
以下、本発明の実施の形態を添付図面を参照して説明する。
【００１６】
図１は、本発明の画像読み取り装置を含む画像形成装置の一例を示すブロック図を示したものである。
この画像形成装置１０は、操作部１１、画像読み取り部１３、画像処理部１４、記憶部１５、印刷部１６、制御部１７を備える。そして原稿台１８の上部には開閉自在の原稿押え蓋１９が設けられている。本発明の画像形成装置は、画像読み取り部１３、原稿台１８、原稿押え蓋１９、画像処理部１４、制御部１７を含む。
【００１７】
操作部１１は、「通常モード」「見開きモード」「雑誌モード」等のモード選択、コピーボタン、終了ボタン等が設けられており、ユーザの意思を装置に取り込む為のものである。
長さ測定部１２は、原稿の長さ（例えば、本を見開きにした場合の綴じ線に沿った原稿の長さ）を測定する為のものであり、原稿押え蓋１９の原稿押え側に配置されている。
【００１８】
画像読み取り部１３は、原稿台１８にセットされた原稿の画像を走査して読み取る為のものであり、原稿面上を露光するランプリフレクタアセンブリと、原稿からの反射光像を電気的画像信号に変換する光電変換素子（ＣＣＤ）と、ＣＣＤに反射光像を導くため光学ユニットから構成される。ユーザが原稿押え蓋１９を開放して、原稿台１８に原稿を載置してから原稿押え蓋１９を閉じ、操作部１１のコピーボタンが押されることにより、原稿の読み取り動作が開始され、ＣＣＤにより画像データが生成される。
【００１９】
画像処理部１４は、画像読み取り部１３にて読み取った画像を処理する為のもので、画像の回転、画像の接続合成等の処理を行う為のものである。
記憶部１５は、操作部１１にて選択されたモード、画像読み取り部１３にて読み取った画像データ、画像処理部１４にて処理された画像データを記憶する為のものである。
【００２０】
印刷部１６は、記憶部１５に記憶している画像データを印刷する為のものであり、各種サイズの印刷用紙（記録媒体）を内蔵し、画像の大きさにより用紙を選択してその上にトナー等で画像を形成して印刷する。
概略を述べると、記憶部１５から読み出した画像データ応じてレーザ光を感光体ドラム上に照射して静電潜像を形成し、トナー現像を行ってトナー像を形成し、それを用紙の表面上に静電転写して定着する。
【００２１】
制御部１７は、上述した各々を総合的に制御する為のものである。
【００２２】
図２及び図３は、画像形成装置の処理を示すフローチャート図である。
まず始めに、ユーザが操作部１１を操作して原稿に応じたモードを選択する。制御部１７は、操作部１１によるモード選択があったかを確認する（ステップＳ１）。例えば、モードは次の３つとし、この中から選択する。
・「通常モード」：１ページ毎に読み取りを行ってそのまま読み取り画像とするモード、
・「見開きモード」：読み取った左右の２ページの画像を連続した一つの画像とするモード、
・「雑誌モード」：読み取った左右の２ページの画像を向きが揃った別々の画像とするモード
【００２３】
記憶部１５には各モードにおける処理が記憶されており、制御部１７は選択されたモードに従って処理を行う。
【００２４】
制御部１７は、どのモードが選択されたかを確認し（ステップＳ２）、「通常モード」が選択された場合、制御部１７は、次にユーザが操作部１１のコピーボタンを操作するかを確認し（ステップＳ３）、操作されるまでは待機する（ステップＳ３；Ｎｏ）。
【００２５】
コピーボタンが操作されると（ステップＳ３；Ｙｅｓ）、制御部１７は、原稿台１８上にセットされた原稿の長さを長さ測定部１２に測定させ（ステップＳ４）、測定した範囲の原稿台１８上の画像を画像読み取り部１３に読み取らせて（ステップＳ５）、読み取った画像を記憶部１５に記憶する（ステップＳ６）。記憶部１５に記憶された画像は、印刷部１６にて用紙に印刷され（ステップＳ２５）、処理が終了する。
【００２６】
ステップＳ２で、モード選択にて「見開きモード」あるいは「雑誌モード」が選択された場合、制御部１７は、選択されたモードを記憶部１５に記憶し（ステップＳ７）、ユーザによりコピーボタンが操作されるまで待機する（ステップＳ８；Ｎｏ）。
【００２７】
コピーボタンが操作されると（ステップＳ８；Ｙｅｓ）、制御部１７は、原稿台１８上にセットされた原稿長さを長さ測定部１２に測定させ（ステップＳ９）、測定した結果より幅を割り出す（ステップＳ１０）。「見開きモード」「雑誌モード」では、原稿が開いた状態にて原稿台上にセットされているため１ページ分の幅を検出することが出来ないので、原稿長さから幅方向を求める。これは、原稿が規定サイズの用紙であれば、原稿長さからその幅方向の長さも求めることができる。従って、予め記憶部１５に、用紙の規定サイズを記憶しておき、測定部１２により原稿長さが求められれば、規定サイズより、原稿幅も求めることができる。
【００２８】
制御部１７は、測定した長さと、求めた幅とから読み取り範囲を求めて、その範囲で原稿台１８の画像を画像読み取り部１３に読み取らせる（ステップＳ１１）。なお、原稿がこの範囲に置かれている必要があるため、ユーザに原稿の載置位置と読み取り範囲を表示して、ユーザに原稿位置を確認させてもよい。その画像データに基づいて画像処理部１４に読み取った画像を右方向に９０度回転処理させて（ステップＳ１２）、右ページ画像として記憶部１５に記憶する（ステップＳ１３）。
【００２９】
引き続いて、ユーザによりコピーボタンの操作（ステップＳ１４）、または、終了ボタンの操作（ステップＳ１５）が行われるまで待機する。
更なる、原稿の読み取りが必要な場合には、コピーボタンが操作され、これ以上の原稿より取りが必要無い場合には、終了ボタンが操作される。
【００３０】
コピーボタンが操作された場合（ステップＳ１４；Ｙｅｓ）、制御部１７は、先に測定、原稿台１８の画像を、求めた範囲で画像読み取り部１３にて読み取らせ（ステップＳ１６）、読み取った画像データを今度は左方向に画像処理部１４に９０度回転処理させ（ステップＳ１７）、左ページ画像として記憶部１５に記憶する（ステップＳ１８）。
【００３１】
次に、先に記憶したモードが「見開きモード」である場合には（ステップＳ１９）、制御部１７は、画像処理部１４に、記憶部１５に記憶されている右ページ画像と、左ページ画像とを記憶した順に配置して接続合成して１枚の画像とし（ステップＳ２０）、記憶部１５に記憶し（ステップＳ２１）、接続に用いた右ページ画像と、左ページ画像を記憶部１５より消去する（ステップＳ２２）。消去した記憶部１５のエリアは再度画像を記憶することが可能となる。
【００３２】
先に記憶したモードが「雑誌モード」である場合には（ステップＳ１９）、左右ページを合成して１枚とする必要がないので、接続処理を飛ばしステップＳ２３に進む。
【００３３】
ステップＳ２３では、制御部１７が、更に原稿を読み取る必要があって、ユーザがコピーボタンを操作するか（ステップＳ２３）、あるいは、これ以上原稿を読み取る必要がない場合に終了ボタンを操作するか（ステップＳ２４）を確認する。いずれかが操作されるまでは待機する。
【００３４】
コピーボタンが操作されると（ステップＳ２３；Ｙｅｓ）、次の右ページを読み取るステップＳ１１へと進み、終了ボタンが操作されると（ステップＳ２４；Ｙｅｓ）、今までに記憶部１５に記憶されている画像を順次印刷する（ステップＳ２５）。
右ページ画像を記憶後に終了ボタンが操作された場合（ステップＳ１５；Ｙｅｓ）も同様に、これまでに記憶部１５に記憶されている画像を印刷することになる（ステップＳ２５）。
【００３５】
図４は、左右ページを見開きで読み取る場合の画像合成を示す説明図である。
この場合は、原稿３２は、図４（ａ）に示すように、本や雑誌などの左右の見開き状態での読み取りである。しかも原稿台１８の読み取り面３１が、見開きサイズより小さい。従って、図４（ｂ）のように、原稿３２の表面が原稿台１８に当接するように載置し、片面ずつ原稿読み取りを行う。ユーザは「見開きモード」を操作部１１により入力するので、図３の処理では、「見開きモード」で制御部１７は処理を進める。
【００３６】
図４（ｂ）のように、原稿を読み取った場合、その読み取った順に記憶部１５に記憶される読み取り画像（Ａ面画像３３ａ、Ｂ面画像３３ｂ）は、図４（ｃ）のように、方向が１８０度異なることになる。そこで、ステップＳ１２やステップＳ１７の処理を行って、画像処理部１４により画像の方向を同一にする。図４（ｃ）の場合は、Ａ面画像３３ａを右方向に９０度回転し、Ｂ面画像３３ｂを左方向に９０度回転（右方向では２７０度回転）し、天地を同一に横並びにする。ステップＳ２０のように、読み取った順に２つの画像を配置して接続合成し、図４（ｄ）の画像３４を生成する。
【００３７】
また、図４の（ｅ）に示すように、Ａ面の画像データを回転せず、Ｂ面の画像データを１８０度回転させて一つの画像３４を合成してもよい。これは、結果的には図４（ｄ）の画像と同一となる。
この回転処理については、どのようにするかは全て予め設定されて、記憶部１５に記憶されており、その記憶された回転処理がされる。
【００３８】
つぎに他のモードについて記載する。
図５は、縦長ポスターを読み取る場合の画像合成を示す説明図である。
縦長ポスター３５の場合は、図５（ａ）に示すように、原稿台１８の読み取り面３１が、ポスターサイズより小さい。従って、図５（ｂ）のように、長手方向の一方の端から半分を読み取り（Ａ面）、次に他方の端から残りの半分（Ｂ面）を読み取る。この場合は、例えば「縦ポスターモード」などとし、ユーザがこれを操作部１１により選択すると、制御部１７は、記憶部１５に記憶されている「縦ポスターモード」の処理手順に従って処理を行う。この処理手順は、図３の「見開きモード」と基本的には同じであるが、画像の合成処理が異なる。
【００３９】
読み取った画像（Ａ面画像３６ａ、Ｂ面画像３６ｂ）は、図５（ｃ）のように、方向が１８０度異なることになる。そこで、ステップＳ１２やステップＳ１７の処理を行って、画像処理部１４により画像の方向を同一にし、ステップＳ２０のように、読み取った順にＡ面画像とＢ面画像を配置して接続合成し、図５（ｄ）の画像３７を生成する。しかし、このとき画像の接続合成は、見開きの場合と異なり、Ａ面、Ｂ面を縦に同一方向に配置して一つの連続画像３７となるように合成する。従って、Ａ面の画像データを右９０度回転し、Ｂ面の画像データを左９０度回転して合成する。
【００４０】
また、図５（ｅ）に示すように、Ａ面の画像データを回転せず、Ｂ面の画像データを１８０度回転させて一つの画像３７を合成してもよい。これは、結果的には図５（ｄ）の画像と同一となる。
【００４１】
こうして、別々に読み取った画像データを一つの連続した画像データに合成するので、原稿である本や雑誌とほぼ同じ画像を再現できるという効果を奏する。
【００４２】
上記の例では、原稿の読み取り毎に画像データを回転させているが、読み取った画像データを記憶し、印刷前に一括して回転処理を実行する様にしても良い。
【００４３】
また、回転処理後の画像合成を行う毎に、プレビュー画面にて確認出来る様にしても良い。
【符号の説明】
【００４４】
１０  画像形成装置
１１  操作部
１２  長さ測定部
１３  画像読み取り部
１４  画像処理部
１５  記憶部
１６  印刷部
１７  制御部
１８  原稿台
１９  原稿押え蓋
【図１】
0006049265.tif 000002
【図２】
0006049265.tif 000003
【図３】
0006049265.tif 000004
【図４】
0006049265.tif 000005
【図５】
0006049265.tif 000006